(57)【特許請求の範囲】
【請求項１】
天板とこの天板の外縁から延びる円筒状の側壁とを有し、この側壁の内周面を周回するネジ山を備えた樹脂製キャップにおいて、
前記ネジ山は、前記側壁の全周に渡って軸方向へ同じ山数で形成され、
前記ネジ山に、軸方向に通じる複数の通し溝が周回方向に沿って規則正しく形成され、かつ前記側壁の内周面において周回方向で当該ネジ山が存在する複数のネジ領域と、当該ネジ山が存在しない複数の溝領域とが規則正しく交互に形成されており、
前記ネジ山は、前記側壁の内周面を２周回する長さで形成されると共に、前記天板側の１周回領域となる上段ネジ山と前記側壁縁側の１周回領域となる下段ネジ山とで構成されており、
前記上段ネジ山の前記各ネジ領域長さが前記下段ネジ山の前記各ネジ領域長さよりも短く、かつ軸方向において当該上段ネジ山の各ネジ領域が当該下段ネジ山の各ネジ領域の周方向範囲内に存在していることを特徴とする樹脂製キャップ。
【請求項２】
前記天板と前記側壁でキャップ本体が構成され、このキャップ本体の開口端に破断可能な複数のブリッジを介して連結されたタンパーエビデンスバンドを備えていることを特徴とする請求項１に記載の樹脂製キャップ。
【発明の詳細な説明】
【技術分野】
【０００１】
本発明は、飲料用の樹脂製ボトルなどを密封するために装着される樹脂製キャップに関する。
【背景技術】
【０００２】
飲料用の樹脂製ボトルに装着される樹脂製キャップとして、不正開栓の有無を確認できるタンパーエビデンス性能を有するものが広く用いられている。例えば、天板、及びこの天板の縁部から延びる側壁からなるキャップ本体と、キャップ本体の開口端に破断可能な複数のブリッジを介して連結されたタンパーエビデンスバンドとを備えた不正開栓の有無を確認できるものが知られている。
【０００３】
樹脂製キャップは、装着状態からの開栓操作によって、係止部がボトルの口部の膨出部に係止され、複数のブリッジに対して引張力などが作用して当該複数のブリッジが破断され、キャップ本体とタンパーエビデンスバンドとが互いに分離されるようになっている。従って、ブリッジが破断していることが確認された場合、開封されていることが認識される。開栓されていることを購入前の消費者が認識できれば、いたずらによる被害を防止でき、内容物の品質を保証することができる。
【０００４】
樹脂製キャップは、射出成形法か圧縮成形法を用いて成形するのが一般的である。いずれの成形法においても、溶融樹脂が金型に注入された後、冷やされてから、成形品の型抜きが行われる。樹脂製キャップの側壁の内周面に設けられたネジ山は、当該内周面から突出しており、成形品を金型から抜く際のアンダーカット部になっている。そのため、成形品を金型から取り出すためには、成形品のタンパーエビデンスバンド側から払い出してアンダーカット部であるネジ山の無理抜きを行う。
【０００５】
例えば、１．５周のネジ山を有する成形品では、軸方向で山数が２つの２山領域と１つの１山領域が存在する。その場合、無理抜き際の周方向における離型抵抗のバランスが崩れ、離型抵抗が大きい２山領域側に成形品が傾き、当該領域側に座屈変形が生じ易くなる。また、無理抜きの際に、ネジ山が側壁を径方向外側へ押し広げるが、その時にネジ山にかかる力は、２山領域では２つのネジ山に分散され、１山領域では１つのネジ山に集中する。そのため、１山領域の１つのネジ山が変形し易くなる。更に、側壁における力のかかる軸方向幅は、２山領域よりも１山領域の方が狭いので、１山領域の側壁が急に押し広げられる。１山領域の側壁が急に押し広げられて変形することで、その部分に白化が生じ易くなる。
【０００６】
側壁の白化や、ネジ山の変形のような成形不良を抑えるためには、生産サイクルを適切な速度に調整してゆっくり冷やす必要があるが、生産性が低下してしまう。例えば、特許文献１には、ガス抜き溝が形成されていない長いネジ山の始端部の上方に位置するネジ切り終端部をなくすことによって、長いネジ山の始端部が完全に単条域に属するものとし、この部分の抵抗を減少させ、型抜きに際してネジ山を介してキャップが受ける力を全周に渡って均一に分散させている樹脂製キャップが記載されている（同文献の図２参照）。
【先行技術文献】
【特許文献】
【０００７】
【特許文献１】特開平８−３４４５５号公報
【発明の概要】
【発明が解決しようとする課題】
【０００８】
特許文献１の樹脂製キャップにおいて、長いネジ山の始端部が完全に単条域に属し、この部分の抵抗が減少しているとはいえ、無理抜きの際に、側壁における力のかかる軸方向幅は、周方向の単条域と２条域とで大きく異なっている。力のかかる軸方向幅が、周方向において大きく異なっていると、生産サイクルを速めた場合に側壁の白化やネジ山の変形が生じ、成形不良を抑えることはできない。
【０００９】
そこで本発明は、上記従来技術の問題点に鑑み、側壁の白化やネジ山の変形を生じ難くして成形不良を抑え、生産サイクルを速めてコストを低減できる樹脂製キャップを提供することを目的とする。
【課題を解決するための手段】
【００１０】
上記目的を達成するため、次の技術的手段を講じた。
即ち本発明は、天板とこの天板の外縁から延びる円筒状の側壁とを有し、この側壁の内周面を周回するネジ山を備えた樹脂製キャップにおいて、前記ネジ山は、前記側壁の全周に渡って軸方向へ同じ山数で形成されていることを特徴とする。
【００１１】
上記本発明によれば、側壁の内周面を周回するネジ山が、当該側壁の全周に渡って軸方向へ同じ山数で形成されているため、例えば軸方向へ１つの山数の領域と２つの山数の領域がどちらも存在する場合とは異なり、全周に渡って同じ山数の領域のみが存在することになる。そのため、無理抜きの際に、側壁における力のかかる軸方向幅が、全周に渡って略均一となる。これにより、生産サイクルを速めた場合であっても、側壁の白化やネジ山の変形が生じ難く、成形不良を抑えることができる。
【００１２】
前記ネジ山に、軸方向に通じる複数の通し溝が周回方向に沿って規則正しく形成され、かつ前記側壁の内周面において周回方向で当該ネジ山が存在する複数のネジ領域と、当該ネジ山が存在しない複数の溝領域とが規則正しく交互に形成されている。無理抜きの際に、側壁における力のかかる軸方向幅を、全周に渡って略均一にすることができる。
【００１５】
前記ネジ山は、前記側壁の内周面を２周回する長さで形成されると共に、前記天板側の１周回領域となる上段ネジ山と前記側壁縁側の１周回領域となる下段ネジ山とで構成されており、前記上段ネジ山の前記各ネジ領域長さが前記下段ネジ山の前記各ネジ領域長さよりも短く、かつ軸方向において当該上段ネジ山の各ネジ領域が当該下段ネジ山の各ネジ領域の周方向範囲内に存在している。
【００１６】
軸方向において上段ネジ山の各ネジ領域が下段ネジ山の各ネジ領域の周方向範囲内に存在しているため、側壁における力のかかる軸方向幅を、全周に渡って略均一とする作用を維持でき、それと共に上段ネジ山の各ネジ領域長さが下段ネジ山の各ネジ領域長さよりも短くなっているため、軽量化を図ることができる。
【００１７】
上記の樹脂製キャップは、どのようなタイプのキャップにも適用可能であり、例えば、前記天板と前記側壁でキャップ本体が構成され、このキャップ本体の開口端に破断可能な複数のブリッジを介して連結されたタンパーエビデンスバンドを備えているものとするのが好適である。
【発明の効果】
【００１８】
上記の通り、上記本発明によれば、無理抜きの際に、側壁における力のかかる軸方向幅が、全周に渡って略均一となっているため、側壁の白化やネジ山の変形が生じ難くなって成形不良が抑えられ、生産サイクルを速めることができ、コストを低減できる。
【図面の簡単な説明】
【００１９】
【図１】本発明の第１実施形態に係る樹脂製キャップを裏側からみた斜視図である。
【図２】図１の樹脂製キャップの断面図である。
【図３】図１の樹脂製キャップのネジ山を表す展開図である。
【図４】本発明の第２実施形態に係る樹脂製キャップのネジ山を表す展開図である。
【図５】本発明の第３実施形態に係る樹脂製キャップのネジ山を表す展開図である。
【図６】本発明の第４実施形態に係る樹脂製キャップの断面図である。
【図７】図６の樹脂製キャップのネジ山を表す展開図である。
【図８】本発明の第５実施形態に係る樹脂製キャップのネジ山を表す展開図である。
【００２０】
以下、本発明の実施形態について図面を参照して説明する。図１は、本発明の第１実施形態に係る樹脂製キャップ１を裏側からみた斜視図であり、図２はその樹脂製キャップ１の断面図である。以下の説明において、図２の樹脂製キャップ１の軸方向上側に対応する側を単に上、軸方向下側に対応する側を単に下とする。樹脂製キャップ１は、飲料用の樹脂製ボトルなどの口部に装着されて使用されるものであり、コンプレッション成形又はインジェクション成形によってポリプロピレンで一体的に成形されており、上部に位置するキャップ本体２と、このキャップ本体２の下端に連結されたタンパーエビデンスバンド３で構成されている。樹脂製キャップ１を形成する素材は特に限定されるものではなく、本実施形態で用いたポリプロピレンの他、ポリエチレン、ポリ乳酸等が好適に用いられる。
【００２１】
樹脂製キャップ１を装着する図示しない口部は、上端から下端まで略同径に形成された円筒状の本体部、この本体部の外周側に形成された雄ネジ、膨出部、及びサポートリング等で構成されている。キャップ本体２は、最上部に位置する天板４、及びこの天板４の外縁４ａから下方へ向かって延びる側壁５によって構成されており、このうち天板４は、所要寸法を有する円盤状に形成されており、当該天板４の内側には容器を密封するための図示しないパッキンが設けられる。なお、容器を密封するためのシール構造はどのようなものでもよく、例えば、天板の内面に一体に形成された中足、環状リブ、及び外足などによるワンピースタイプのものであってもよい。
【００２２】
側壁５は円筒状に形成されており、その内周面５ａには、口部に螺合する雌ネジ部１４が形成されている。側壁５の外周面５ｂには、軸方向に延びるローレット９が設けられている。側壁５とタンパーエビデンスバンド３との境目部分には、複数のブリッジ１０が周方向に沿って所定間隔をおいて設けられている。キャップ本体２とタンパーエビデンスバンド３とを互いに連結している複数のブリッジ１０は、所定の力で引っ張られると破断するようになっている。タンパーエビデンスバンド３の内側には係止部１１が設けられている。係止部１１は、タンパーエビデンスバンド３の下端部３ａから内側斜め上方へ折り返され、かつ周方向に沿って断続的に形成されている。係止部１１は、内方、外方及び下方へ弾性変形可能となっており、口部に装着された状態で、その膨出部の直下へ位置し、開栓操作によって当該膨出部へ係止される。なお、ブリッジや係止部の形態は限定されず、例えば係止部を周方向に沿って連続的に形成したものであってもよい。
【００２３】
装着された樹脂製キャップ１が開栓方向に回され始めると、係止部１１が口部の膨出部に係止され、複数のブリッジ１０に引張力が作用し始める。樹脂製キャップ１が更に回されると、複数のブリッジ１０は大きく引っ張られて次第に細くなっていき、破断に至る。これにより、天板４及び側壁５からなるキャップ本体２が、タンパーエビデンスバンド３から分離され、樹脂製ボトルが開栓される。
【００２４】
図３は樹脂製キャップ１のネジ山１２の展開図である。側壁５の内周面５ａに形成された雌ネジ部１４は、当該内周面５ａを周回する断面略台形状のネジ山１２からなる。なお、ネジ山は、断面台形状のものに限られず、断面湾曲状など他の形状のものでもよい。図２及び図３に示すように、ネジ山１２は、切り始めの始端１２ａから切り終わりの終端１２ｂまで、円筒状の側壁５の内周面５ａを２回に渡って周回している。従って、ネジ山１２における側壁中点を中心とする周回角度は７２０°となっている。図２のようにネジ山１２の始端１２ａと終端１２ｂの軸方向位置が略一致している。ネジ山１２は、側壁５の全周に渡って軸方向へ同じ山数で形成されており、側壁５の内周面５ａで軸方向に異なる山数の領域は存在しない。
【００２５】
樹脂製キャップ１の成形に際して、溶融樹脂が成形金型に注入された後、所定温度まで冷却され、成形品の型抜きが行われる。樹脂製キャップ１の側壁５の内周面５ａの位置で型取られたネジ山１２は、成形品を型抜きする際のアンダーカット部になっているため、無理抜きの際には、ネジ山１２の抵抗で側壁５が径方向外側へ押し広げられて変形する。
【００２６】
本実施形態の樹脂製キャップ１では、上述のようにネジ山１２が側壁５の全周に渡って軸方向へ同じ山数で形成されており、側壁５の内周面５ａで軸方向に異なる山数の領域は存在しない。従って、無理抜きの際に、側壁５における力のかかる軸方向幅Ｄ（図３参照）が、全周に渡って略均一となっている。
【００２７】
上記本実施形態の樹脂製キャップ１によれば、側壁５の内周面５ａを周回するネジ山１２が、当該側壁５の全周に渡って軸方向へ同じ山数で形成されているため、例えば軸方向へ１つの山数の領域と２つの山数の領域がどちらも存在する場合とは異なり、全周に渡って同じ山数の領域のみが存在することになる。そのため、無理抜きの際に、側壁５における力のかかる軸方向幅Ｄが、全周に渡って略均一となる。従って、生産サイクルを速めた場合であっても、側壁５の白化やネジ山１２の変形が生じ難く、成形不良を抑えることができる。これにより、樹脂製キャップ１の生産サイクルを速めることができ、コストを低減することができる。
【００２８】
図４は本発明の第２実施形態に係る樹脂製キャップ２０のネジ山２１を表す展開図である。本実施形態のネジ山２１には、軸方向に通じる複数の通し溝２２が周回方向に沿って略等間隔をおいて形成されている。１周目である下側に位置する各通し溝２２Ａと、２周目である上側に位置する各通し溝２２Ｂとの軸方向位置は一致しており、側壁５の内周面５ａにおいて、周回方向でネジ山２１が存在する複数のネジ領域２３と、ネジ山２１が存在しない複数の溝領域２４とが、規則正しく交互に形成されている。なお、側壁５の全周に渡って軸方向へ同じ山数で形成されている本発明のネジ山とは、複数の溝領域２４も含めた連続的となっているネジ山全体のことをいう。
【００２９】
本実施形態では、軸方向に通じる複数の通し溝２２が、周回方向に沿って略等間隔をおいて形成されており、それと共にネジ領域２３と溝領域２４とが、周回方向において規則正しく交互に配置されているため、通し溝２２の存在によって、側壁５における力のかかる軸方向幅Ｄが変わることはなく、全周に渡って略均一となっている。
【００３０】
軸方向に通じる複数の通し溝が、周回方向に沿って略等間隔をおいて形成されていない場合であっても、例えば、軸方向に通じる複数の通し溝が、周回方向に沿って規則正しく形成されており、ネジ領域と溝領域とが、周回方向において規則正しく交互に配置されていれば、側壁５における力のかかる軸方向幅が変わることはなく、全周に渡って略均一となる。このような場合として、ネジ山が、その長さを周方向に長、短、長、短、長、・・・、というように断続的になっているものが挙げられる。
【００３１】
図５は本発明の第３実施形態に係る樹脂製キャップ３０のネジ山３１を表す展開図である。本実施形態のネジ山３１には、軸方向に通じる複数の通し溝３２が周回方向に沿って略等間隔をおいて形成されている。１周目である下側に位置する通し溝３２Ａと、２周目である上側に位置する通し溝３２Ｂとの軸方向位置は一致しており、側壁５の内周面５ａにおいて、周回方向でネジ山３１が存在するネジ領域３３と、ネジ山３１が存在しない溝領域３４とが、規則正しく交互に形成されている。
【００３２】
本実施形態では、ネジ山３１における終端から始端に向かう所定長さ部分を、成形時にアンダーカット部として抵抗を受けるネジ幅減少部３１ａとしている。ネジ幅減少部３１ａでは、ネジ幅ｓ１が他の部分のネジ幅ｓ２よりも約半分程度に減少しており、軽量化が図られている。つまり、ネジ山３１における終端から始端に向かう上記所定長さ部分が、飲料ボトルの口部への螺合に寄与しない場合、その所定長さ部分だけネジ幅を減少させれば、減少させた分だけ重量が低減され、閉栓形態に影響を与えることなく軽量化を図ることができる。この場合でも、側壁５における力のかかる軸方向幅Ｄはほとんど変わることはなく、全周に渡って略均一となっている。
【００３３】
図６は本発明の第４実施形態に係る樹脂製キャップ４０の断面図であり、図７は樹脂製キャップ４０のネジ山を表す展開図である。本実施形態の樹脂製キャップ４０の係止部４１は周方向に連続した蛇腹状に形成されており、くの字状に折り込まれた複数の内突部４１ａが構成されている。天板４の内側には、飲料ボトルなどの容器を密封するためのパッキン４２が図示されている。パッキン４２は、円盤状の本体部４３と、この本体部４３の外周から下方へ折れ曲がる環状のサイドシール部４４と、本体部４３の下面から下方へ向かって延びる円筒状の中足部４５とを有している。サイドシール部４４は、容器の口部と側壁５との間に入り込み、中足部４５は当該口部の内面へ密着する。これらによるシール構造が、容器の口部を良好にシールすることで、容器の内部の気密性が高く維持される。
【００３４】
本実施形態におけるネジ山４６は、上記実施形態と同様に側壁５の内周面５ａを２周回する長さで形成されている。そして、図７の展開図に示すように、ネジ山４６は、天板側の１周回領域となる上段ネジ山４７と側壁縁側の１周回領域となる下段ネジ山４８とで構成されている。上段ネジ山４７と下段ネジ山４８は、それぞれ７つのネジ領域と７つの溝領域で構成されている。上段ネジ山４７の各ネジ領域長さｔ１は、下段ネジ山４８の各ネジ領域長さｔ２よりも短い。軸方向において上段ネジ山４７の各ネジ領域４７ｒが、下段ネジ山４８の各ネジ領域４８ｒの周方向範囲内に存在している。上段ネジ山４７の各ネジ領域４７ｒと下段ネジ山４８の各ネジ領域４８ｒの周方向中心が一致している。
【００３５】
側壁５の内周面５ａは、各ネジ領域４７ｒ、４８ｒに対応するように図７左側から第１〜第７区域４９Ａ〜Ｇからなる。各区域４９Ａ〜Ｇの周方向範囲は、各ネジ領域４７ｒ、４８ｒとその周方向両側の半溝領域の範囲である。第１〜第３区域４９Ａ〜Ｃ、及び第５〜第７区域４９Ｅ〜Ｇはそれぞれ５０°の周回角度で構成され、第４区域４９Ｄのみが６０°の周回角度で構成されている。
【００３６】
上段ネジ山４７の複数のネジ領域長さｔ１は互いに同じである。下段ネジ山４８の第１〜第３区域４９Ａ〜Ｃ、及び第５、第６区域４９Ｅ、Ｆに対応するネジ領域長さｔ２は互いに同じであり、第４区域４９Ｄに対応するネジ領域長さｔ３が他の区域よりも長くなっている。下段ネジ山４８の第７区域４９Ｇに対応するネジ領域４８ｒの切り始めが先窄みとなっている。第１〜第３区域４９Ａ〜Ｃ、及び第５、第６区域４９Ｅ、Ｆにおける上段ネジ山４７の各ネジ領域長さｔ１は、下段ネジ山４８の各ネジ領域長さｔ２の６０％となっている。第４区域４９Ｄ及び第７区域４９Ｇにおける上段ネジ山４７のネジ領域長さｔ１は、下段ネジ山４８のネジ領域長さｔ３の５０％となっている。上段ネジ山４７の各ネジ領域長さｔ１は、下段ネジ山４８の各ネジ領域長さｔ２、ｔ３の４０％〜８０％であることが好ましく、より好ましくは５０％〜６０％である。
【００３７】
本実施形態の樹脂製キャップ４０によれば、軸方向において上段ネジ山４７の各ネジ領域４７ｒが下段ネジ山４８の各ネジ領域４８ｒから周方向にはみ出さず、かつ下段ネジ山４８の各ネジ領域４８ｒの周方向範囲内に存在しているため、無理抜きの際に、側壁５における力のかかる軸方向幅Ｄを、全周に渡って略均一とする作用を維持できる。従って、生産サイクルを速めた場合であっても、側壁５の白化やネジ山の変形が生じ難く、成形不良を抑えることができる。これにより、樹脂製キャップ４０の生産サイクルを速めることができ、コストを低減することができる。
【００３８】
上段ネジ山４７の各ネジ領域長さｔ１が、下段ネジ山４８の各ネジ領域長さｔ２、ｔ３よりも短くなっているため、上段ネジ山４７の各ネジ領域長さと下段ネジ山４８の各ネジ領域長さが同じ場合に比べて、軽量化を図ることができる。さらに、上段ネジ山４７の各ネジ領域長さｔ１がより短くなっているため、容器の口部内周に形成されたネジ部との接触面積が減少する。接触面積が減少すると、容器の口部への樹脂製キャップ４０の巻締め時及び開栓時の抵抗が減ることになり、製造し易く、かつ消費者がより少ない力で開栓できる。樹脂製キャップ４０を容器の口部へ装着した後、樹脂製キャップ４０の外面に向けて洗浄水又は熱水を吹き付け、側壁５に形成された洗浄孔５５（図６参照）を通じてこの洗浄水又は熱水を容器の口部の外周面に導く。これにより、樹脂製キャップ４０の内面と、容器の口部の外周面とが洗浄される。上段ネジ山４７の各ネジ領域長さｔ１がより短くなっているために、洗浄水の流路が従来よりも広がり、口部の洗浄性を向上させることができる。
【００３９】
図８は本発明の第５実施形態に係る樹脂製キャップ５０のネジ山５１を表す展開図である。本実施形態の樹脂製キャップ５０が図７の第４実施形態と異なる点は、側壁５の内周面５ａが、各ネジ領域に対応するように第１〜第６区域５２Ａ〜Ｆからなる点である。
上段ネジ山５３の各ネジ領域長さｔ１は、下段ネジ山５４の各ネジ領域長さｔ２よりも短い。軸方向において上段ネジ山５３の各ネジ領域５３ｒが、下段ネジ山５４の各ネジ領域５４ｒの周方向範囲内に存在している。上段ネジ山５３の各ネジ領域５３ｒと下段ネジ山５４の各ネジ領域５４ｒの周方向中心が一致している。
【００４０】
第１〜第６区域５２Ａ〜Ｆがそれぞれ６０°の周回角度で構成されている。上段ネジ山５３の複数のネジ領域長さｔ１は互いに同じである。下段ネジ山５４の第１〜第５区域５２Ａ〜Ｅに対応するネジ領域長さｔ２は互いに同じであり、下段ネジ山５４の第６区域５２Ｆに対応するネジ領域５４ｒの切り始めが先窄みとなっている。第１〜第５区域５２Ａ〜Ｅにおける上段ネジ山５３の各ネジ領域長さｔ１は、下段ネジ山５４の各ネジ領域長さｔ２の６０％である。第６区域５２Ｆにおける上段ネジ山５３の各ネジ領域長さｔ１は、下段ネジ山５４の各ネジ領域長さｔ３の５０％である。本実施形態の樹脂製キャップ５０においても、コストが低減され、かつ軽量化が図れるなど第４実施形態と同様の作用効果を奏することができる。
【００４１】
上記で開示した実施形態は、本発明に係る樹脂製キャップを例示したものであり、各部の形状、寸法等は適宜変更されるものである。例えば、ネジ山が、完全ネジ部のみで形成されているものであってもよい。この場合には、ネジ山の終端や始端に形成される先細り部分が存在しなくなり、無理抜きの際に、側壁における力のかかる軸方向幅を、全周に渡ってより均一なものとすることができる。本発明を、タンパーエビデンスバンドをもたない他の形式の樹脂製キャップへ適用することもできる。本発明の樹脂製キャップが適用される容器はどのようなものでもよく、口部の形状を限定するものでもない。図６〜図８では、上段ネジ山の各ネジ領域長さが下段ネジ山の各ネジ領域長さよりも短くなっている例を示したが、これらの変形例として、上下段の各ネジ領域長さを変更することや、下段の各ネジ領域に対する上段の各ネジ領域の周方向位置を変更した樹脂製キャップとしてもよい。
【符号の説明】
【００４２】
１、２０、４０、５０    樹脂製キャップ
２    キャップ本体
３    タンパーエビデンスバンド
４    天板
５    側壁
１２、２１、４６  ネジ山
１２ａ  始端
１２ｂ  終端
２１、４６、５１    ネジ山
２２    通し溝
２２Ａ  １周目の通し溝
２２Ｂ  ２周目の通し溝
１４  雌ネジ部
２３  ネジ領域
２４  溝領域
Ｄ    軸方向幅
３１ａ  ネジ幅減少部
４２  パッキン
４７、５３  上段ネジ山
ｔ１  上段のネジ領域長さ
４７ｒ  ネジ領域
４８、５４  下段ネジ山
ｔ２、ｔ３  下段のネジ領域長さ
４８ｒ、５４ｒ  ネジ領域
４９Ａ〜Ｇ  第１〜第７区域
５２Ａ〜Ｆ  第１〜第６区域
５５  洗浄孔
【図１】
0005934613.tif 000002
【図２】
0005934613.tif 000003
【図３】
0005934613.tif 000004
【図４】
0005934613.tif 000005
【図５】
0005934613.tif 000006
【図６】
0005934613.tif 000007
【図７】
0005934613.tif 000008
【図８】
0005934613.tif 000009